(57)【要約】【課題】照光面における光が均一で光源の位置を視認できず、特に、複数の色相の異なる光源を使用しても、十分に混ざり合って一色となった光を放出できる押し釦スイッチを提供することにある。【解決手段】押圧操作で上下動する操作用キャップ５０の直下に、光拡散板４０を配置するとともに、前記光拡散板４０の下方側に２個のＬＥＤ２８，２９を配置した押し釦スイッチである。特に、光拡散板４０の下面に、ＬＥＤ２８，２９から集光した光を均等に拡散して前記操作用キャップ５０から放出する凹所４３を設けてある。【選択図】図１
2008084758.tif 000002
【特許請求の範囲】
【請求項１】
押圧操作で上下動する操作用キャップの直下に、光拡散板を配置するとともに、前記光拡散板の下方側に光源を配置した押し釦スイッチであって、
光拡散板の下面に、光源から集光した光を均等に拡散して前記操作用キャップから放出する凹所を設けたことを特徴とする押し釦スイッチ。
【請求項２】
少なくとも凹所に、多数の凹部を所定のピッチで格子状に設けたことを特徴とする請求項１に記載の押し釦スイッチ。
【発明の詳細な説明】
【技術分野】
【０００１】
本発明は押し釦スイッチ、特に、複数の光源を内蔵する押し釦スイッチに関する。
【背景技術】
【０００２】
従来、押し釦スイッチとしては、例えば、カラーキャップ１の直下に拡散プレートを兼ねた彫刻プレート２を配置するとともに、前記彫刻プレート２の下方側に発光ダイオード組立体３を配置したものがある（特許文献１）。
【特許文献１】実開平４−１１２４２１号公報
【発明の開示】
【発明が解決しようとする課題】
【０００３】
しかしながら、前述の押し釦スイッチでは、光源である発光ダイオード組立体３が拡散プレート２のすぐ真上にあり、光源とカラーキャップ１との距離が短く、光が十分に拡散できない。このため、光源の近傍周辺のみが明るく、前記カラーキャップ１の照光面が一様に光らない。また、異なる色相で複数の光源を配置した場合には、色相の異なる光が十分に混ざり合いにくく、美麗な一色になりにくいという問題点がある。
【０００４】
本発明は、前記問題点に鑑み、照光面における光が均一で光源の位置を視認できず、特に、複数の色相の異なる光源を使用しても、十分に混ざり合って一色となった光を放出できる押し釦スイッチを提供することを課題とする。
【課題を解決するための手段】
【０００５】
本発明にかかる押し釦スイッチは、前記課題を解決すべく、押圧操作で上下動する操作用キャップの直下に、光拡散板を配置するとともに、前記光拡散板の下方側に光源を配置した押し釦スイッチであって、光拡散板の下面に、光源から集光した光を均等に拡散して前記操作用キャップから放出する凹所を設けた構成としてある。
【発明の効果】
【０００６】
本発明によれば、光拡散板の凹所に光源の光が集光され、均等に拡散して操作用キャップの上面から放出されるので、操作用キャップの上面が均等に光る。また、色相の異なる複数の光源を配置した場合であっても、光が十分に混ざり合い、一色になる。このため、２色発光だけでなく、３色発光も可能になる。
【０００７】
本発明にかかる実施形態としては、少なくとも凹所に、多数の凹部を所定のピッチで格子状に設けてもよい。なお、前記凹部には、３角錐、４角錐、５角錐等の他、円錐、角錐台、円錐台も含まれる。
本実施形態によれば、光源の光、特に、色相の異なる複数の光源から放射された光がより一層効果的に混ざり合うので、美麗な光を放出する押し釦スイッチが得られるという効果がある。
【発明を実施するための最良の形態】
【０００８】
本発明にかかる実施形態を図１ないし図１１の添付図面に従って説明する。
第１実施形態にかかる押し釦スイッチは、図１ないし図６に示すように、大略、ベース１０と、ベースカバー２０と、押し釦３０と、光拡散板４０と、操作用キャップ５０とから構成されている。
【０００９】
前記ベース１０は、上面中央部に円形の凹所１１を設けた平面方形の樹脂成形品であり、図４に示すように、前記凹所１１の底面中央に共通固定接点１２を設けるとともに、前記共通固定接点１２を間にして一対の固定接点１３，１３をインサート成形してある。また、前記ベース１０は上面隅部に、係合用突起１４を備えた位置決め用突部１５をそれぞれ突設してある。さらに、前記ベース１０は、対向する外側面から共通固定接点端子１２ａおよび固定接点端子１３ａ，１３ａがそれぞれ突設し、かつ、下方側に折り曲げられている。
【００１０】
前記ベース１０の凹所１１には、ドーム状の反転バネからなる可動接点１７、前記可動接点１７を被覆できる円板状絶縁シート１８、および、前記円板状絶縁シート１８の外周縁部を抜け止めする抜け止めリング１９が順次、積み重ねられている。
【００１１】
ベースカバー２０は、前記ベース１０を被覆可能な平面方形の箱形状であり、その底面中央に操作孔２１を設けてあるとともに、前記操作孔２１を間にして位置決め用凹部２２が形成されている。さらに、前記ベースカバー２０は、その底面隅部にガイド孔２３を形成してあるとともに、対向する両側側壁に１対の係合孔２４，２４をそれぞれ設けてある。そして、前記ベースカバー２０を前記ベース１０に嵌合すると、前記ベース１０の係合用突起１４が前記ベースカバー２０の内周面に係合して組み付けられる。
【００１２】
前記ベースカバー２０の位置決め用凹部２２内には端子２８ａ，２９ａを備えた光源であるＬＥＤ２８，２９が位置決めされる。これにより、前記端子２８ａ，２９ａがベース１０の下面から突出する。
【００１３】
押し釦３０は、前記ベースカバー２０内に嵌合可能な平面形状を有する箱形状であり、その内周面および底面は前記ＬＥＤ２８，２９の光を後述する光拡散板４０に反射するようになっている。そして、前記押し釦３０は、その下面隅部に前記ベースカバー２０のガイド孔２３にスライド挿入可能なガイド用突部３１を有している。また、前記押し釦３０の対向する側壁の外側面には一対の弾性突起３２，３２と係止用爪部３３とが設けられている。さらに、前記押し釦３０は、図１および図２に示すように、その下面中央部に操作ボタン部３４を突設してあるとともに、前記操作ボタン部３４の両側に前記ＬＥＤ２８，２９の上端部が露出する貫通孔３５，３５が設けられている。さらに、前記押し釦３０は、その開口縁部に位置決め用環状段部３６を形成してある。
【００１４】
前記押し釦３０のガイド用突部３１をベースカバー２０のガイド孔２３に挿入し、弾性突起３２，３２をベースカバー２０の係合孔２４，２４に係合して抜け止めされる。
【００１５】
光拡散板４０は、光拡散剤を含有する透光性材料からなり、前記押し釦４０の位置決め用環状段部３６に嵌合可能な平面形状を有するリブ４１を備えた樹脂成形品である。そして、前記光拡散板４０は、図５および図６に示すように、前記リブ４１の下面に突設した光拡散部４２の下面に略四角錐の凹部４３ａを格子状に配置し、かつ、その中央部にすり鉢状の凹所４３を形成してある。そして、前記光拡散板４０を前記押し釦３０の環状段部３６に嵌合して位置決めする。
【００１６】
本実施形態によれば、光拡散部４２のすり鉢状凹所４３がＬＥＤ２８，２９から放射された光を集光して均一に拡散する。特に、光拡散部４２の下面に格子状に凹部４３ａが配置されているので、光がより一層乱反射する。このため、光が均一に拡散するとともに、十分に混ざり合い、複数の色相の光源であっても一色に見えるという利点がある。
【００１７】
操作用キャップ５０は、前記押し釦３０を被覆するとともに、嵌合可能な箱形状を有し、対向する側面に係止孔５１が形成されている。そして、前記操作用キャップ５０を前記押し釦３０に嵌合し、その係止孔５１を押し釦３０の係止用爪部３３に係止して抜け止めする。
【００１８】
したがって、図１および図２に示すように、操作用キャップ５０を押し下げると、押し釦３０が光拡散板４０と一緒に下降し、操作ボタン部３４が絶縁シート１８を介して可動接点１７の中央部を押し下げる。前記可動接点バネ１７の中央部が所定の位置まで下がると、瞬時に反転し、共通固定接点１２と固定接点１３，１３とを導通させる。これにより、２個のＬＥＤ２８，２９が点灯し、光を放射する。放射された光は光拡散板４０のすり鉢状凹所４３に集光されるとともに、ダイヤモンドカット面で乱反射しながら混ざり合い、操作用キャップ５０を透過して外部に放射される。
【００１９】
本実施形態によれば、２個のＬＥＤ２８，２９から放射された光が光拡散板４０の凹所４３で混ざり合い、かつ、乱反射することにより、均一な光を外部に放射する。このため、ＬＥＤ２８，２９の位置を視認できないことは勿論、異なる色相のＬＥＤ２８，２９を点灯しても一色に見えるという利点がある。
【００２０】
光拡散板４０の凹所４３は必ずしもダイヤモンドカットする必要はなく、図７に示すように、光拡散板４０の光拡散部４２にすり鉢状の凹所４３を形成してもよい（第２実施形態）。
【００２１】
また、光拡散板４０の光拡散部４２における凹所４３は、図８に示すように、単なる円錐形状であってもよく（第３実施形態）、さらに、図９に示すように、凹所４３が直径の異なる複数の円錐台面を積み重ねた形状であってもよく（第４実施形態）、図１０に示すように、鍋底形状の凹所４３であってもよい（第５実施形態）。ついで、図１１に示すように、光拡散板４０の凹所４３は円錐台形状であってもよい（第６実施形態）。なお、必要に応じ、前述の凹所４３の表面に第１実施形態のようにダイヤモンドカットを施しておいてもよいことは勿論である。
【００２２】
前述の実施形態では、２個のＬＥＤ２８，２９を内蔵する押し釦スイッチに適用する場合について説明したが、必ずしもこれに限らず、１個あるいは３個以上の光源を内蔵してもよいこと勿論である。
【産業上の利用可能性】
【００２３】
本発明にかかる押し釦スイッチは、前述の押し釦スイッチに限らず、他の押し釦スイッチに適用してもよい。
【図面の簡単な説明】
【００２４】
【図１】本発明にかかる押し釦スイッチの実施形態を示す断面図である。
【図２】図１で示した押し釦スイッチの断面斜視図である。
【図３】図１で示した押し釦スイッチの分解斜視図である。
【図４】図１で示したベースの平面拡大図である。
【図５】図Ａ，図Ｂおよび図Ｃは、図１で示した光拡散板の正面図、底面図および図ＢのＣ−Ｃ線断面図である。
【図６】図Ａおよび図Ｂは、図５で示した斜視図および断面斜視図である。
【図７】図Ａ，図Ｂおよび図Ｃは、第２実施形態にかかる光拡散板を示す斜視図、底面図、および、図ＢのＣ−Ｃ線断面図である。
【図８】図Ａ，図Ｂおよび図Ｃは、第３実施形態にかかる光拡散板を示す斜視図、底面図、および、図ＢのＣ−Ｃ線断面図である。
【図９】図Ａ，図Ｂおよび図Ｃは、第４実施形態にかかる光拡散板を示す斜視図、底面図、および、図ＢのＣ−Ｃ線断面図である。
【図１０】図Ａ，図Ｂおよび図Ｃは、第５実施形態にかかる光拡散板を示す斜視図、底面図、および、図ＢのＣ−Ｃ線断面図である。
【図１１】図Ａ，図Ｂおよび図Ｃは、第６実施形態にかかる光拡散板を示す斜視図、底面図、および、図ＢのＣ−Ｃ線断面図である。
【符号の説明】
【００２５】
２８，２９：ＬＥＤ
３０：押し釦
４０：光拡散板
４１：リブ
４２：光拡散部
４３：凹所
４３ａ：凹部
５０：操作用キャップ
【図１】
2008084758.tif 000003
【図２】
2008084758.tif 000004
【図３】
2008084758.tif 000005
【図４】
2008084758.tif 000006
【図５】
2008084758.tif 000007
【図６】
2008084758.tif 000008
【図７】
2008084758.tif 000009
【図８】
2008084758.tif 000010
【図９】
2008084758.tif 000011
【図１０】
2008084758.tif 000012
【図１１】
2008084758.tif 000013